(57)【要約】【課題】  住宅の外壁にイルミネーションの配線を這わせることなく、昼間の外観意匠を崩さずに、軒樋内にイルミネーションライトを取付けて、従来目立たせることのなかった軒樋をイルミネーションによって飾る、軒樋イルミネーション構造およびこれに使用されるイルミネーションライト取付け部材とイルミネーションライト取付け部材ホルダーを提供する。【解決手段】  イルミネーションライト５１が取付けられたイルミネーションライト取付け部材３と、軒樋２の内側に取付けられたイルミネーションライト取付け部材ホルダー４とが接続されていて、イルミネーションライト本体５２および配線５４が軒樋２内に内蔵されるとともに、イルミネーションライト発光部５３が軒樋２の外側に露出していることを特徴とする。【選択図】図１
2008267064.tif 000002
【特許請求の範囲】
【請求項１】
イルミネーションライトが取付けられたイルミネーションライト取付け部材と、軒樋の内側に取付けられたイルミネーションライト取付け部材ホルダーとが接続されていて、イルミネーションライト本体および配線が軒樋内に内蔵されるとともに、イルミネーションライト発光部が軒樋の外側に露出していることを特徴とする軒樋イルミネーション構造。
【請求項２】
軒樋の内側に間隔をおいて取付けられた複数のイルミネーションライト取付け部材ホルダーに対して、軒樋長手方向に長尺であり、イルミネーションライトが複数取付けられたイルミネーションライト取付け部材が接続されていることを特徴とする請求項１に記載の軒樋イルミネーション構造。
【請求項３】
請求項１または２に記載の軒樋イルミネーション構造に使用されるイルミネーションライト取付け部材とイルミネーションライト取付け部材ホルダー。
【請求項４】
イルミネーションライト取付け部材には、前方に突出した差込部と、イルミネーションライト本体を挟持するクリップ部が設けられ、イルミネーションライト取付け部材ホルダーには、側面視コ字状の差込受け部と、軒樋の前壁面先端の前方耳部を覆い嵌合する耳受け部とが設けられていて、イルミネーションライト取付け部材の差込部とイルミネーションライト取付け部材ホルダーの差込受け部とが嵌合するように形成されていることを特徴とする請求項３に記載のイルミネーションライト取付け部材とイルミネーションライト取付け部材ホルダー。
【請求項５】
イルミネーションライト取付け部材のクリップ部の後方には、イルミネーションライトの挿入孔が設けられていることを特徴とする請求項４に記載のイルミネーションライト取付け部材。
【発明の詳細な説明】
【技術分野】
【０００１】
本発明は、軒樋内にイルミネーションライトを取付けた、軒樋イルミネーション構造およびこれに使用されるイルミネーションライト取付け部材とイルミネーションライト取付け部材ホルダーに関するものである。
【背景技術】
【０００２】
昨今、一般住宅の外観をカラフルなイルミネーションで飾る趣向が増加しているが、住宅の外観に合わせてすっきりと納まるものはなく、後付けで適当にイルミネーションの配線を外壁に這わせて取付けることが一般的である。
【０００３】
しかしながら、イルミネーションを後付けした場合、住宅の外壁に配線を這わせる作業が必要であり、一般施主が行う作業としては危険であるという問題点を有していた。また、昼間は住宅の外壁に這わせたイルミネーションの配線は、外観意匠を損なうという問題点を有していた。
【０００４】
一方、従来の軒樋は、夜間は暗く、全く見えない存在であり、雨水を排水する機能と、住宅の軒先を飾る外観デザインに重点を置き、あまり目立たせないのが一般的であった。例えば、特許文献１、２のように、軒樋と軒先前面とのスペースを体裁よく埋め、軒先下方を照らす軒樋が開示されるに留まっていた。
【特許文献１】特開２００４−１４３８２２号公報
【特許文献２】特開平８−３２６２４２号公報
【発明の開示】
【発明が解決しようとする課題】
【０００５】
本発明は、以上の通りの事情に鑑みてなされたものであり、住宅の外壁にイルミネーションの配線を這わせることなく、昼間の外観意匠を崩さずに、軒樋内にイルミネーションライトを取付けて、従来目立たせることのなかった軒樋をイルミネーションによって飾る、軒樋イルミネーション構造およびこれに使用されるイルミネーションライト取付け部材とイルミネーションライト取付け部材ホルダーを提供することを課題としている。
【課題を解決するための手段】
【０００６】
本発明は、上記の課題を解決するために、第１には、イルミネーションライトが取付けられたイルミネーションライト取付け部材と、軒樋の内側に取付けられたイルミネーションライト取付け部材ホルダーとが接続されていて、イルミネーションライト本体および配線が軒樋内に内蔵されるとともに、イルミネーションライト発光部が軒樋の外側に露出していることを特徴とする。
【０００７】
第２には、軒樋の内側に間隔をおいて取付けられた複数のイルミネーションライト取付け部材ホルダーに対して、軒樋長手方向に長尺であり、イルミネーションライトが複数取付けられたイルミネーションライト取付け部材が接続されていることを特徴とする。
【０００８】
第３には、第１または第２の発明に使用されるイルミネーションライト取付け部材とイルミネーションライト取付け部材ホルダーを、第４には、イルミネーションライト取付け部材には、前方に突出した差込部と、イルミネーションライト本体を挟持するクリップ部が設けられ、イルミネーションライト取付け部材ホルダーには、側面視コ字状の差込受け部と、軒樋の前壁面先端の前方耳部を覆い嵌合する耳受け部とが設けられていて、イルミネーションライト取付け部材の差込部とイルミネーションライト取付け部材ホルダーの差込受け部とが嵌合するように形成されていることを特徴とし、第５には、イルミネーションライト取付け部材のクリップ部の後方には、イルミネーションライトの挿入孔が設けられていることを特徴とする。
【発明の効果】
【０００９】
第１あるいは第３の発明によれば、イルミネーションライト本体および配線が軒樋内に内蔵されているため、住宅の外壁にイルミネーションの配線を這わせることなく、昼間の外観意匠を崩すことなく、軒樋内にイルミネーションライトを取付けて、従来目立たせることのなかった軒樋をイルミネーションによって飾ることができる。
【００１０】
第２の発明によれば、施工性に優れる軒樋イルミネーション構造が提供される。イルミネーションライト取付け部材とイルミネーションライト取付け部材ホルダーとが別部材とされていることによって、軒樋長手方向に長尺のイルミネーションライト取付け部材に複数のイルミネーションライトが取付けられた状態で、軒樋長手方向に間隔をおいて取付けられた複数のイルミネーションライト取付け部材ホルダーに接続することで、一度に複数のイルミネーションライトを軒樋内に取付けることが容易となる。
【００１１】
第４の発明によれば、イルミネーションライト取付け部材ホルダーを軒樋の前壁面先端の前方耳部へ嵌合、イルミネーションライトをイルミネーションライト取付け部材に挟持、およびイルミネーションライト取付け部材をイルミネーションライト取付け部材ホルダーに差込接続、といった簡便な作業によって軒樋内にイルミネーションライトを取付けることができ、取付け作業を容易なものにすることができる。
【００１２】
第５の発明によれば、イルミネーションライト取付け部材をイルミネーションライト取付け部材ホルダーに取付けた状態で、イルミネーションライトをイルミネーションライト取付け部材の後方から挿入あるいは取外しすることが可能となり、メンテナンス等を容易にすることができる。
【発明を実施するための最良の形態】
【００１３】
本発明では、イルミネーションとは、電球や発光ダイオード（ＬＥＤ）等による電飾体の意で使用し、より具体的には、イルミネーション、イルミネーションライト、イルミネーションライト本体およびイルミネーションライト発光部という用語の定義は、図６に示すように、複数のイルミネーションライト５１が配線５４によって連結されている全体をイルミネーション５として、イルミネーションライト５１は、発光する部分をイルミネーションライト発光部５３とし、イルミネーションライト発光部５３と配線５４との間にある部分をイルミネーションライト本体５２として記載している。
【００１４】
図１は、本発明の軒樋イルミネーション構造の一実施形態の側面要部拡大図である。
【００１５】
図１に示されるように、本発明の軒樋イルミネーション構造１は、イルミネーションライト５１が取付けられたイルミネーションライト取付け部材３と、軒樋２の内側に取付けられたイルミネーションライト取付け部材ホルダー４とが接続されていて、イルミネーションライト本体５２および配線５４が軒樋２内に内蔵されるとともに、イルミネーションライト発光部５３が軒樋２の外側に露出していることを特徴としている。
【００１６】
このような軒樋イルミネーション構造１およびこれに使用されるイルミネーションライト取付け部材３とイルミネーションライト取付け部材ホルダー４によって、軒樋２内にイルミネーションライト５１を取付けて、従来目立たせることのなかった軒樋２をイルミネーション５によって飾ることができるのである。
【００１７】
より具体的な実施形態としては、例えば、図１に示されるように、イルミネーションライト取付け部材３には、前方に突出した差込部３１と、イルミネーションライト本体５２を挟持するクリップ部３２が設けられ、イルミネーションライト取付け部材ホルダー４には、側面視コ字状の差込受け部４２と、軒樋２の前壁面２１先端の前方耳部２２を覆い嵌合する耳受け部４１とが設けられていて、イルミネーションライト取付け部材３の差込部３１とイルミネーションライト取付け部材ホルダー４の差込受け部４２とが嵌合するように形成されているイルミネーションライト取付け部材３とイルミネーションライト取付け部材ホルダー４が例示される。そして、図１に示されるようなイルミネーションライト取付け部材３、イルミネーションライト取付け部材ホルダー４とすることによって、イルミネーションライト取付け部材ホルダー４を軒樋２の前壁面２１先端の前方耳部２２へ嵌合、イルミネーションライト５１をイルミネーションライト取付け部材３に挟持、およびイルミネーションライト取付け部材３をイルミネーションライト取付け部材ホルダー４に差込接続、といった簡便な作業によって軒樋２内にイルミネーションライト５１を取付けることができ、取付け作業を容易なものにすることができるため好ましい。
【００１８】
本発明の軒樋イルミネーション構造１において使用されるイルミネーションライト取付け部材３とイルミネーションライト取付け部材ホルダー４は、軒樋２と同様に金属製薄板の両面に合成樹脂層を積層化した板材の折曲成形体等が例示されるが、その材料については限定されない。
【００１９】
図２は、本発明の軒樋イルミネーション構造１の取付け作業工程であり、図３は、本発明の軒樋イルミネーション構造の取付け作業工程における後方斜視図である。
【００２０】
たとえば、図２、３に示されるように、イルミネーションライト取付け部材３のクリップ部３２の後方に、イルミネーションライト５１の挿入孔３３が設けられていることによって、図２（ａ）に示されるように、イルミネーションライト５１をイルミネーションライト取付け部材３の後方の挿入孔３３から挿入してクリップ部３２に挟持させて、一方でイルミネーションライト取付け部材ホルダー４の耳受け部４１を軒樋２の前方耳部２２に押し広げながら入れ込んで嵌合させておいて、図２（ｂ）に示されるように、イルミネーションライト取付け部材３の差込部３１をイルミネーションライト取付け部材ホルダー４の差込受け部４２に差込接続し、最終的に図２（ｃ）に示されるように、軒樋２内にイルミネーションライト５１を取付けることができ、簡便な取付け作業とすることができる。さらに、イルミネーションライト５１のみを取外すことができ、メンテナンス等を容易にすることができるため好ましい。ただし、イルミネーションライト取付け部材３のイルミネーションライト５１の挿入孔３３が穿設されていなくとも、イルミネーションライト取付け部材３のクリップ部３２にイルミネーションライト５１を前方から挿入すればよく、軒樋２内にイルミネーションライト５１を取付けることができることは言うまでもない。
【００２１】
特に、図３に示されるように、軒樋２の内側に間隔をおいて取付けられた複数のイルミネーションライト取付け部材ホルダー４に対して、軒樋２長手方向に長尺であり、イルミネーションライト５１が複数取付けられたイルミネーションライト取付け部材３を接続すれば、一度に複数のイルミネーションライト５１を軒樋２内に取付けることが容易となり、施工性がよく、好ましい。
【００２２】
ここで、さらに詳細な実施形態としては、図１に示されるように、軒樋２の側面視で、軒樋２の前壁面２１には凹部２４が形成されていて、凹部２４の位置に軒樋２の前壁面２１の照明穴２３を穿設したり、軒樋２の前壁面２１の照明穴２３の上方において前下方向に突出した雨垂れ部２５を形成したりすることによって、イルミネーションライト５１が雨や雪等に曝されないようにすることができ、イルミネーションライト５１の故障等を防止することができるため好ましい。
【００２３】
図４は、本発明の軒樋イルミネーション構造の一実施形態が形成された軒樋全体の側面図である。
【００２４】
本発明の軒樋イルミネーション構造は、たとえば、図４に示されるようなものとして形成されるが、当然に、イルミネーションライト５１の故障や軒樋２の照明穴２３からの漏水を防止するために、軒樋２の前壁面２１先端の前方耳部２２の方が後壁面２６先端の後方耳部２７よりも高く形成され、さらにイルミネーションライト５１、配線５４、照明穴２３等は、軒樋２内に溜まりうる雨水の最大水位（図４点線）よりも高い位置、つまり後壁面２６先端の後方耳部２７よりも高い位置であることが好ましいことは言うまでもなく、防水加工されたイルミネーションを使用したり、漏水防止のための特殊な構造の形成を行う必要がなくなる。
【００２５】
もちろん本発明は以上の例に限定されるものではなく、例えば、図５に示されるように、図１〜４とは異なった実施形態として、イルミネーションライト取付け部材３の差込部３１およびイルミネーションライト取付け部材ホルダー４の差込受け部４２は一つずつとする等、細部については様々な態様が可能であることは言うまでもない。
【図面の簡単な説明】
【００２６】
【図１】本発明の軒樋イルミネーション構造の一実施形態の側面要部拡大図である。
【図２】本発明の軒樋イルミネーション構造の取付け作業工程である。
【図３】本発明の軒樋イルミネーション構造の取付け作業工程における後方斜視図である。
【図４】本発明の軒樋イルミネーション構造の一実施形態が形成された軒樋全体の側面図である。
【図５】図１〜４とは異なる本発明の軒樋イルミネーション構造の一実施形態の側面要部拡大図である。
【図６】イルミネーション全体図である。
【符号の説明】
【００２７】
１  軒樋イルミネーション構造
２  軒樋
２１  前壁面
２２  前方耳部
２３  照明穴
２４  凹部
２５  雨垂れ部
２６  後壁面
２７  後方耳部
３  イルミネーションライト取付け部材
３１  差込部
３２  クリップ部
３３  挿入孔
４  イルミネーションライト取付け部材ホルダー
４１  耳受け部
４２  差込受け部
５  イルミネーション
５１  イルミネーションライト
５２  イルミネーションライト本体
５３  イルミネーションライト発光部
５４  配線
【図５】
2008267064.tif 000003
【図６】
2008267064.tif 000004
【図１】
2008267064.tif 000005
【図２】
2008267064.tif 000006
【図３】
2008267064.tif 000007
【図４】
2008267064.tif 000008